(57)【要約】  本発明は、ポリマーフィルム（１）と、フィルムドレッシング材の取り扱いを容易にするための装着システムとを有する、次のようなフィルムドレッシング材（１０、３０、４０、６０）に関する。すなわち、装着システムがポリマーフィルム（１）の第１の面に設けられ、少なくとも１つの支持フィルム（１４、２０、３４、４４ｃ、６４ａ）を含み、この支持フィルムに追加的な少なくとも１つの掴みしろ（１５、２５、３５、４５、６５）が形成されている。そして、支持フィルム（１４、２０、３４、４４ｃ、６４ａ）はポリマーフィルム（１）側の第１の面と、ポリマーフィルム（１）と反対側の第２の面とを有し、前記支持フィルム（１４、２０、３４、４４ｃ、６４ａ）の第２の面は少なくとも１つの接着領域（１８、２８、３８、４８、６８）を有する。【選択図】図５
2009525771.tif 000002
【特許請求の範囲】
【請求項１】
ポリマーフィルム（１）と、フィルムドレッシング材の取り扱いを容易にするための装着システムとを有するフィルムドレッシング材（１０、３０、４０、６０）であって、
前記装着システムはポリマーフィルム（１）の第１の面に設けられて、少なくとも１つの支持フィルム（１４、２０、３４、４４ｃ、６４ａ）を含み、該支持フィルムには少なくとも１つの掴みしろ（１５、２５、３５、４５、６５）が形成されており、前記支持フィルム（１４、２０、３４、４４ｃ、６４ａ）は、前記ポリマーフィルム（１）側の第１の面と、前記ポリマーフィルム（１）と反対側の第２の面とを有し、前記支持フィルム（１４、２０、３４、４４ｃ、６４ａ）の第２の面は、少なくとも１つの接着領域（１８、２８、３８、４８、６８）を有する、フィルムドレッシング材。
【請求項２】
前記接着領域（１８、３８、４８、６８）が、被覆手段（１９、３９、４９、６９）、特には条片形状の被覆手段によって被覆されていることを特徴とする、請求項１に記載のフィルムドレッシング材（１０、３０、４０、６０）。
【請求項３】
前記ポリマーフィルム（１）が、支持フィルムのない第１の領域（３３、４３、５３、６３、７３）を少なくとも１つ有することを特徴とする、請求項１〜２のいずれか一項に記載のフィルムドレッシング材（１０、３０、４０、６０）。
【請求項４】
前記装着システムが少なくとも２つの支持フィルム（４４ｃ、４４ｂ、４４ａ、６４ａ、６４ｂ）を含み、これら支持フィルムはポリマーフィルム（１）に平行な１つの面に配置されていることを特徴とする、請求項１〜３のいずれか一項に記載のフィルムドレッシング材（１０、３０、４０、６０）。
【請求項５】
前記ポリマーフィルム（１）が、支持フィルムのない第１の領域（４３、５３、６３、７３）を１つと、支持フィルムのない第２の領域（４３、５３、６３、７３）を少なくとも１つ有し、後者の領域は、前記第１の領域から分離されて配置されていることを特徴とする、請求項１〜４のいずれか一項に記載のフィルムドレッシング材（１０、３０、４０、６０）。
【請求項６】
前記支持フィルムのない第１または第２の領域（３３、４３）が、ポリマーフィルム（１）の周縁領域を形成することを特徴とする、請求項１〜５のいずれか一項に記載のフィルムドレッシング材（１０、３０、４０、６０）。
【請求項７】
前記支持フィルムのない第１または第２の領域（５３、７３）が、第１および第２の支持フィルム（４４ｃ、４４ｂ、４４ａ、６４ａ、６４ｂ）の間に配置されていることを特徴とする、請求項１〜６のいずれか一項に記載のフィルムドレッシング材（１０、３０、４０、６０）。
【請求項８】
少なくとも１つの掴みしろ（１５、４５、５５）が、前記支持フィルムのない第１または第２の領域（１３、５３）の少なくとも一部にかぶさることを特徴とする、請求項１〜７のいずれか一項に記載のフィルムドレッシング材（１０、３０、４０、６０）。
【請求項９】
前記装着システムが、それぞれ少なくとも１つずつ掴みしろ（４５、５５ａ、５５ｂ、６５、７５）を有する少なくとも２つの支持フィルム（４４ａ、４４ｂ、４４ｃ、６４ａ、６４ｂ）を含むことを特徴とする、請求項１〜８のいずれか一項に記載のフィルムドレッシング材（１０、３０、４０、６０）。
【請求項１０】
前記両者の掴みしろ（４５、６５）の一方が、他方の掴みしろ（５５、７５）の少なくとも一部にかぶさることを特徴とする、請求項１〜９のいずれか一項に記載のフィルムドレッシング材（１０、３０、４０、６０）。
【請求項１１】
前記ポリマーフィルム（１）における支持フィルムと反対側の第２の面が粘着剤によって、特には第２の面の全面が粘着剤（２）によってコーティングされていて、前記粘着剤は被覆フィルムまたは被覆紙（３）で被覆されていることを特徴とする、請求項１〜１０のいずれか一項に記載のフィルムドレッシング材（１０、３０、４０、６０）。
【請求項１２】
前記ポリマーフィルム（１）は、ポリウレタンフィルム、ポリエステルウレタンフィルム、またはポリエーテルウレタンフィルムであることを特徴とする、請求項１〜１１のいずれか一項に記載のフィルムドレッシング材（１０、３０、４０、６０）。
【請求項１３】
前記フィルムドレッシング材が、周縁領域から中央領域につながる切込み（５９）を有することを特徴とする、請求項１〜１２のいずれか一項に記載のフィルムドレッシング材（１０、３０、４０、６０）。
【請求項１４】
フィルムドレッシング材（１０、３０、４０、６０）の支持フィルム（１２、２４、３４、４４ｃ、６４ａ）の、フィルムドレッシング材適用の記録への使用。
【発明の詳細な説明】
【技術分野】
【０００１】
本発明は、ポリマーフィルムを有するフィルムドレッシング材と、このフィルムドレッシング材の取り扱いを容易にするための装着システムに関する。
【背景技術】
【０００２】
絆創膏または創傷ドレッシング材のための装着補助手段は、以前から公知である。特にこれらの装着補助手段は、フィルムドレッシング材の場合に用いられる。フィルムドレッシング材は、ポリマー材料製の薄い、多くの場合透明で半透性のフィルムまたは薄片である。フィルムの半透性は細菌や水の侵入を防ぎ、その際、被覆される皮膚とフィルムドレッシング材の外側周囲との間で酸素と水蒸気の交換を行えるようにする。このフィルムドレッシング材は、さまざまな方法で、たとえば手術箇所を無菌被覆する切開口フィルムとして、また浸出液を吸収する創傷包帯材に別付けする水密な被覆材として、ならびにカニューレまたはカテーテルを固定するために用いられる。このフィルムまたは薄片は薄く、そしてそれにともなって不安定であるため、これらのフィルムドレッシング材にはさまざまな装着補助手段が設けられる。これら装着補助手段の大部分はさらに支持層を備え、この支持層はフィルムドレッシング材を装着するときまたは装着後に除去される。
【０００３】
創傷用のフィルム包帯材は、以前から特許文献で公知である。欧州特許第８１９９０Ｂ１号は、薄いポリマーフィルムからなる接着性の創傷包帯材を記載する。そのポリマーフィルムは一方の面に、皮膚に接着する粘着剤をコーティングされ、この粘着剤は、剥離層で被覆されている。他方の面、すなわち使用中は人体と反対側になる面では、このポリマーフィルムが、取り扱いを容易にするため、もう１つの容易に除去できる支持層を備え、この支持層は繊維材料製、たとえば不透明な不織布製とする。この支持層は、ポリマーフィルムと同じ大きさである。
【０００４】
欧州特許第６９０７０６Ｂ１号は、次のような接着性創傷包帯を記載する。その包帯は、創傷包帯のポリマーフィルムの装着を容易にするため、１つの支持層を有する。その支持層は、全面的にポリマーフィルムを被覆し、２つのステップでポリマーフィルムから除去することができる。そのためには第１のステップで、支持層の中央部分を除去し、第２のステップで周縁部分を除去する。欠点は、この創傷包帯の支持層を把握することがユーザーにとって極めて困難なことである。
【０００５】
また欧州特許第９５１２６３Ｂ１号は、次のような接着性フィルムドレッシング材を記載する。そのドレッシング材の接着側の面は、少なくとも２つの部分からなる剥離可能な保護層によって被覆され、接着しない側の面は、その全面に単一構造の支持層を設けられている。このフィルムドレッシング材の支持層は保護層と、２つのたがいに向かい合う側がヒンジ状に結合されているので、保護層を除去すると同時に、支持層も除去することができる。
【０００６】
欧州特許第９８５３９１Ａ１号は、フィルムベースの包帯材料を記載する。その包帯材料は、フィルムの周縁領域に、接着性のないつまみを備える。フィルムのこの接着性のない側には単一構造の支持層が設けられ、この支持層は、フィルムと同じ大きさであって、少なくとも１つの掴みしろを有する。接着方向につまみを引くと、装着されていたフィルムを痛みなしにふたたび除去することができる。
【０００７】
欧州特許第６３０６２８Ｂ１号によって、次のようなフィルムドレッシング材が公知である。そのドレッシング材は、容易に装着できるよう２つの部分からなる支持フィルムを有する。この支持フィルムは、装着されるフィルムよりも大きく、そして後者のフィルムを全面的に覆う。支持フィルムを除去するため、支持フィルムの上に接着性を有する引き剥がししろをさらに取り付けている。この引き剥がししろは、支持フィルムの切り取り線にそって配置され、把握のため２つの接着性のない周縁領域を備え、この周縁領域が掴みしろとして用いられる。これら引き剥がししろによって、支持フィルムの一部分だけを除去することができ、支持フィルムのほかの部分はポリマーフィルム上に残ることになる。
【０００８】
そのほか欧州特許第３４１０４５Ｂ１号は、接着性のある透明または半透明のフィルムドレッシング材を記載する。そのドレッシング材は、透明な創傷ドレッシング材と、透明で基準マークを付されたフィルムとを有する。この基準マークは、創傷を観察するのに用いることができる。
【０００９】
上記の保護対象特許権はすべて、さまざまな装着システムを有するフィルムドレッシング材のためのさまざまな新たな解決法を示す。これら保護対象特許権が解決法として提案されたフィルムドレッシング材の一部は、構造上複雑すぎるか、あるいは装着中の快適性に欠けると見なされるものがある。
【発明の開示】
【発明が解決しようとする課題】
【００１０】
本発明の課題は、取扱性が安定しているフィルムドレッシング材であって、かつそのドレッシング材の適用を記録できる手段を含むドレッシング材を提供することである。そのほか、次のようなフィルムドレッシング材を提供することも、本発明の課題である。すなわち、意図した面に的を絞って装着することができ、またたとえばカニューレのような治療手段を固定することができ、そのフィルムドレッシング材の使用の記録、または治療措置の記録さえも、日常的作業として簡単な形で行えるフィルムドレッシング材である。その際このフィルムドレッシング材は、形態上または大きさ上の制限なしに、汎用的に使用できるものとしたい。
【課題を解決するための手段】
【００１１】
本発明の課題は、ポリマーフィルムを備えるフィルムドレッシング材と、このフィルムドレッシング材の取り扱いを容易にするための装着システムとによって解決される。この装着システムは、ポリマーフィルムの第１の面に配置されて、少なくとも１つの支持フィルムを持ち、この支持フィルムにはさらに掴みしろが形成されている。またこの支持フィルムは、ポリマーフィルム側に該当する第１の面と、ポリマーフィルムと反対側に該当する第２の面とを有し、支持フィルムのこの第２の面は少なくとも１つの接着領域を備える。
【００１２】
もう１つの好ましい実施形態では、支持フィルムが１つの接着領域を有するが、この接着領域は、被覆手段特に条片形状の被覆手段に被覆されている。
【００１３】
このような装着システムを有するフィルムドレッシング材の長所は、支持フィルムを同時に記録手段としても用いることができることである。フィルムドレッシング材はたいてい７〜１０日間にわたって装着されるので、フィルムドレッシング材の取り扱いにこの記録は役に立つ。本発明のフィルムドレッシング材を使用するとき、装着時に除去された支持フィルムを、接着領域を用いて直ちに、または被覆条片を除去した後に、患者書類または記録書類に貼付することができる。したがって、掴みしろによって特に容易に装着できるフィルムドレッシング材が、そしてフィルムドレッシング材の適用を記録する手段を処置者に同時にあたえるフィルムドレッシング材が、非常に簡単に提供される。それだけでなく明瞭な記録が可能となって、フィルムドレッシング材交換が早すぎたり遅すぎたりするのを防止することができる。
【００１４】
本発明を実施するにあたって、装着システムとは次のようなものすべてをいうものとしたい。すなわち、ポリマーフィルムの装着を容易にするのに役立ち、そして少なくとも１つの支持フィルムと、この支持フィルムに加えて少なくとも１つの掴みしろを備える、このような装着システムである。この掴みしろはこの支持フィルムに形成されている。ここにいう「形成」とは、２つの同じ材料または２つの異なる材料を結合することをいう。これらの材料は、接着剤、圧力、熱エネルギー、超音波法、またはそのほかの方法によって、たがいに分離可能な状態で、または分離できない状態で結合される。掴みしろはしたがって本発明の場合、つねに追加側の材料構成部分であって、この掴みしろは、少なくとも１つの支持フィルムとともに、つねに同時にポリマーフィルムから除去することができる。また理解を容易にするため、本発明の関連では、フィルムまたはポリマーフィルムとは、つねに本来装着されるべきフィルムまたはポリマーフィルム、たとえば創傷ドレッシング材をいう。それに対してフィルム、ポリマーフィルム、または支持フィルムとは、つねに装着システムの一部をいう。すなわちポリマーフィルムと支持フィルムの相違は、各構成部分の機能だけに関するものである。材料に関しては一般の用語法と同じく、ポリマーフィルムと支持フィルムの間になんら相違はない。記録とは、諸情報を収集して一時的に保存することをいう。
【００１５】
支持フィルム上に接着領域を形成することについては、専門家を狭い条件内に縛るものはない。この接着領域は、たとえば粘着性接着剤を単純に塗布し、あるいはスポット状に載せることによって行われる。特に有利なのは、患者書類に貼付された支持フィルムの再剥離または貼り替えを可能とするような接着剤である。両面粘着テープを用いることもできる。この場合の粘着テープは、第１の粘着面が分離できない状態で支持フィルムと結合され、第１の面と反対側の粘着性第２の面が、支持フィルムの接着面を形成する。両面接着テープの第２面が紙に特に良好に接着する場合、この実施形態は特に有用である。特に好ましいのは、接着強さが０．０５〜０．５Ｎ（ＤＩＮ  ＥＮ  １９３９に従って測定）の接着剤を用いる場合である。
【００１６】
本発明の１つの特に好ましい実施形態では、接着領域を用いて掴みしろを支持フィルムに取り付けできる。掴みしろは、この実施形態では被覆条片を形成する。この場合１つには、支持フィルムを変形させたり損傷したりすることなく、掴みしろを支持フィルムから除去することができる。またもう１つには、掴みしろと支持フィルムとの間の粘着強さが、掴みしろを用いて支持フィルムをポリマーフィルムから全面的に剥離するに十分な強さとされる。それだけでなく、たとえば接着領域に塗布されてこの接着領域を形成する接着剤が、掴みしろを除去した後も、支持フィルム上の全面に残る。これにより、さらなる処理を行わなくても、支持フィルムを直接患者書類に貼付できる。被覆層が掴みしろとは異なる材料である場合でも、上記の特性は同様に満足されなければならない。このため被覆条片として、あらゆる市販のシリコーン処理フィルムまたはシリコーン処理紙、ならびにフッ素化合物を加えられたフィルムまたは紙を用いることができる。
【００１７】
この支持フィルムを幅広い用途に適用するため、支持フィルム自体のポリマーフィルム側の第１の面に、たとえば耐久性マーカーといった一般的な筆記具で書き込みできるものを意図する。そうすることにより処置者は、たとえば処置される人物、または適用の時点に関するマーキングを、支持フィルム上に記録することができる。特には第１の面に書き込みができるようにしたい。なぜならばこの面は、たとえば患者書類への貼付後に上位置にあって、患者書類に貼付後も書き込み可能だからである。
【００１８】
上から見ることができるように、この支持フィルムには、諸情報を媒介する印刷、すなわち適用の記録を容易に行えるようにする印刷を施すことができる。この印刷により、たとえば日付、処置者、患者、またはメーカー名、または製品の名称といったものを表記することができる。この印刷は、支持フィルムのポリマーフィルム側に当たる第１の面、または支持フィルムの第２の面に施すことができる。第２の面に印刷を行う場合は、患者書類への貼付後もこの印刷が判読できるよう、裏返しの形に印刷する。
【００１９】
そのほか支持フィルムとして、多層型フィルムまたはフィルム複合物を用いることを意図する。この多層型フィルムの長所は、フィルムの第１の層に印刷する場合、それをフィルムの第２の層で被覆できることである。したがって耐久性マーカーによるマーキングを、フィルムの外側表面に行うことができる。外側表面は同一で統一された形状を有している。さらにはこのフィルムを全体的に彩色して、特には彩色されても透明または半透明のままとすることができる。特に好ましいのは、透明または半透明な支持フィルムである。
【００２０】
したがってフィルムドレッシング材の適用を記録するためにフィルムドレッシング材の支持フィルムを使用することも、本発明の対象である。
【００２１】
もう１つの特に好ましい実施形態では、フィルムドレッシング材が、支持フィルムのない第１の領域を少なくとも１つ含むポリマーフィルムを備える。この支持フィルムのない第１の領域があるために、支持フィルムに被覆されるポリマーフィルムの面積は、ポリマーフィルムの第１の面の面積よりも小さくなる。特には、このフィルムドレッシング材は１つまたは複数の支持フィルムを有し、支持フィルムの接触面積は全部で装着されるポリマーフィルムの第１の面の面積の９７％以下、特には９４％以下に相当するものとする。
【００２２】
装着システムを有するこのようなフィルムドレッシング材の利点は、ポリマーフィルムのうち支持フィルムのない領域、すなわち支持フィルムによって被覆されない領域が、支持フィルムを有するポリマーフィルムよりもたわみ性があるために、フィルムドレッシング材装着中にヒンジとして機能できる点である。したがって支持フィルムに比較的硬い支持材料を用いることができ、同時に正確にフィットさせて装着することができる。これに対して単一構造の支持フィルム、すなわちポリマーフィルムと同じ大きさの支持フィルムを用いる従来の技術の場合、あるいは全体としてポリマーフィルムと同じ大きさの複数部分からなる支持フィルムの場合、正確にフィットさせて装着できるようにするためには、支持材料の選択が比較的柔軟な材料に制限される。もう１つの利点は、支持フィルムに用いられる材料を節約できることである。
【００２３】
特には、支持フィルムのない第１の領域を、ポリマーフィルムの一方の周縁に設けることができる。この場合の周縁とは、１つの面の領域として、その面の末端辺からその面の内側に向かって延びる領域であり、かつその面積がその面の総面積の５０％以下であるものである。これにより、有利な方法としてポリマーフィルム自体によって決まる柔軟性を有する領域を備え、そしてまた装着されるフィルムの初回固定を容易に行うことができるようなフィルムドレッシング材が得られる。この場合同時にそのほかの領域では、支持フィルムによって、安定した取り扱いが可能となる。ここでは次のような場合に、取扱性が特に良好となり、安定した装着が可能となる。それは支持フィルムの１つが、その外側末端辺の少なくとも１つの点において、ポリマーフィルムの外側末端辺から、少なくとも２ｍｍ、特には少なくとも３ｍｍ、さらに特にはすくなくとも５ｍｍの間隔を取る場合である。特に好ましいのは、支持フィルムの末端辺のいずれの点も、ポリマーフィルムの外側末端辺から少なくとも２ｍｍ、特には少なくとも３ｍｍ、さらに特には少なくとも５ｍｍの間隔を取る場合である。
【００２４】
本発明のもう１つの実施形態は、掴みしろが、支持フィルムに被覆されないポリマーフィルムの領域全部にかぶさることを意図する。この場合、装着システムは全体として、ポリマーフィルムと同一の大きさを有する。ここで同一の大きさとは接触面積の大きさをいう。すなわち、装着システムの周囲境界線と、ポリマーフィルムの周囲境界線とは、面一の位置にある。装着システムとポリマーフィルムの大きさが等しいことにより、そしてまた掴みしろが支持フィルムにのみ形成されて、ポリマーフィルムと結合を持たないことにより、次のことが可能となる。すなわち、すでに説明したように支持フィルムのない領域の柔軟性が高いだけでなく、フィルム全体が被覆され、したがって装着前や装着中も完全に保護される。
【００２５】
本発明によるフィルムドレッシング材の１つの好ましい実施形態では、掴みしろが、ユーザーが把握するための把握面、好ましくは裏側から把握する手段として作られた把握面を持ち、その把握面の面積は少なくとも２ｃｍ2、特には５ｃｍ2、まったく特に好ましくは７ｃｍ2とする。
【００２６】
本発明のもう１つの実施形態では、装着システムが、ポリマーフィルムと平行な１つの面に設けられた２つの支持フィルムを有する。本発明のこのような実施形態では、第１の支持フィルムと第２の支持フィルムの間に、支持フィルムのない第１の領域を設けることができる。両支持フィルムの間隔は、この場合いずれの点でも好ましくは少なくとも２ｍｍ、特には少なくとも３ｍｍ、さらに特には少なくとも５ｍｍとする。特に好ましくは、装着システムが２つの支持フィルムを有し、これらフィルムはいずれの点でもたがいに等しい間隔を有するものとする。
【００２７】
特に、２つの支持フィルムを有するフィルムドレッシング材の実施形態の場合、いずれの支持フィルムも掴みしろを有するものとする。この場合、第１の掴みしろは第１の支持フィルムに、そして第２の掴みしろは第２の支持フィルムに設けられる。
【００２８】
２つの支持フィルムを有する本発明のフィルムドレッシング材は、１つの好ましい実施形態として、第１の掴みしろが、ユーザーが把握するための把握面、好ましくは裏側を把握する手段として作られた把握面を持ち、第１の掴みしろの把握面が、第２の掴みしろの少なくとも一部に、特に好ましくはその全面にかぶさるものとする。
【００２９】
掴みしろのこの配置によれば、特に簡単な方法で、次のことが可能となる。すなわち、処置者はいかなる場合も、一番上に位置する第１の掴みしろを最初の掴みしろとして作動することができ、したがって第１の支持フィルムを、最初のフィルムとしてポリマーフィルムから除去することができる。それにつづく第２のステップで初めて、処置者は第２の掴みしろを用いて、第２の支持フィルムを除去することができる。したがって支持フィルムを除去する順序が決められていて、特に取扱性が安定しているフィルムドレッシング材が得られる。
【００３０】
好ましくは、第１の掴みしろの把握面の大きさを少なくとも２ｃｍ2、特には少なくとも５ｃｍ2、さらに特に好ましくは少なくとも７ｃｍ2とする。特に取扱性が安定するのは、第１の掴みしろが少なくとも２ｃｍ2の把握面、特には少なくとも４ｃｍ2の把握面、さらに特に好ましくは少なくとも６ｃｍ2の把握面を有する場合である。この自由な把握面は、この場合、把握面のうち第２の掴みしろを横方向に越えて突出する部分である。
【００３１】
この場合特に取扱性が安定するのは、第１の掴みしろが、ポリマーフィルムの支持フィルムがない領域にも、第２の掴みしろにも、全面的にかぶさる場合である。
【００３２】
フィルムドレッシング材が２つの支持フィルムを有する装着システムを備え、支持フィルムのない第１の領域が各支持フィルム間に設けられている場合、支持フィルムのない第１の領域から分離されたところに、支持フィルムのない第２の領域を設けることができる。この第２の領域には、さらに好ましくは、掴みしろをかぶせることができる。この第２の領域は、支持フィルムによっても、掴みしろによっても、マスキングされないものとすることもできる。好ましくは、ポリマーフィルムにおける支持フィルムがないこの第２の領域は、フィルムドレッシング材の周縁に設けられるものとする。フィルムドレッシング材はこのような方法で、ドレッシング材内部のヒンジと、初回固定のための領域とを備える。
【００３３】
２つよりも多くの支持フィルムを有する装着システムが設けられている場合、いずれの支持フィルムにも掴みしろを割り当てることができる。特に好ましい１つの実施形態では、２つの支持フィルムに１つの掴みしろを割り当てることができる。特に、３つの支持フィルムを有するフィルムドレッシング材において、２つの支持フィルムに１つの掴みしろを割り当てることができる。支持フィルムに対する掴みしろのこのような配置と割り当てによって、２つの別々な支持フィルムを、１つの動作ステップで除去することができる。
【００３４】
本発明のフィルムドレッシング材は、いずれのジオメトリー形状にも形成することができる。たとえば楕円形、正方形、長方形、五角形、六角形、そのほか考えられるあらゆる形状である。特に好ましいのは、本発明のフィルムドレッシング材を長方形とする場合である。もう１つの好ましい実施形態では、本発明によるフィルムドレッシング材に、周縁領域から中央領域へと１つの切込みを入れることができる。このような実施形態の場合、いわゆるカニューレ絆創膏またはカテーテル絆創膏として、本発明によるフィルムドレッシング材を特に良好に用いることができる。
【００３５】
支持フィルムとしては、特に透明または半透明なフィルム材料が考えられる。しかしそれとは別に、不透明なフィルム材料を用いることもできる。特には支持フィルムとして、次のようなフィルムが使用される。すなわち、ポリエステル、ポリエチレン、ポリプロピレン、ポリ塩化ビニル、ポリスチロール、ポリアミド、ポリカーボネート、セルロースエステル、酢酸エチレンビニル、ポリ酢酸ビニル、ポリビニルアルコール、および／またはこれらの混合物からなるフィルムである。特に好ましくは支持フィルムを、透明なポリエステル、またはポリエチレン、またはポリプロピレンからなるものとする。この場合さらには、支持フィルムの厚さが１５〜８０μｍ、特には２０〜６０μｍ、さらに好ましくは２０〜４０μｍとなるよう、支持フィルムの厚さを調整することが特に有利である。
【００３６】
掴みしろを生成するためには、支持フィルムとして用いられるのと同じ材料を使用することができる。しかし１つの特に好ましい実施形態では、支持フィルムよりも柔軟なフィルム材料から掴みしろを生成する。装着システムとして、支持フィルムを２つまたはそれ以上、そして掴みしろを２つまたはそれ以上含むものを設ける場合、好ましくはすべての掴みしろを、いずれの支持フィルムよりも柔軟な材料からなるものとする。これにより、掴みしろを特に容易に把握できるようになる。２つの掴みしろを有するもう１つの特に好ましい実施形態では、第１の支持フィルムの掴みしろを、第２の支持フィルムの掴みしろよりも柔軟なものとする。この場合さらに、第２の掴みしろの全面に第１の掴みしろがかぶさるようにすることが有利である。
【００３７】
また２つの掴みしろを有するシステムの場合、第１の掴みしろと第２の掴みしろの間に、作動手段を設けることができる。この作動手段は、たとえば追加された接着性の条片であって、その接触面の両側で接着強さが異なるものとすることができる。このようなフィルムドレッシング材を装着するとき、たとえば第２の掴みしろより上に配置された第１の掴みしろを掴み、この後者の掴みしろを用いて、作動手段と支持フィルムとをポリマーフィルムから除去することができる。このとき同時に、第２の掴みしろが作動され、または立ち上げられて、処置者はこの第２の掴みしろを容易に掴むことができる。
【００３８】
ポリマーフィルムとしては、本発明のフィルムドレッシング材では、特に高い水蒸気透過度を有するポリマーフィルムを使用することができる。これには特に次のようなフィルムが適している。すなわち、ポリウレタン、ポリエーテルウレタン、ポリエステルウレタン、ポリエーテル−ポリアミド共重合体、ポリアクリル酸エステル、またはポリメタクリル酸エステルからなるフィルムである。ポリマーフィルムとして特に好ましいのは、ポリウレタンフィルム、ポリエステルウレタンフィルム、またはポリエーテルウレタンフィルムである。またさらに特に好ましくは、これらのポリマーフィルムの厚さは、１５〜５０μｍ、特には２０〜４０μｍ、さらに特には２５〜３０μｍである。本発明によるフィルムドレッシング材では、ポリマーフィルムの水蒸気透過度を、好ましくは少なくとも７５０ｇ／ｍ2／２４時間、特には少なくとも１０００ｇ／ｍ2／２４時間、さらに特には少なくとも２０００ｇ／ｍ2／２４時間とする（ＤＩＮ  １３７２６に従って測定）。
【００３９】
装着されるポリマーフィルムにおいて、装着システムの反対側にあたる第２の面に、接着剤を塗布してもよい。この塗布は全面的に、または間隔をおいて、または特定の領域だけに行うことができる。使用される接着剤は、通常の粘着剤、特にはアクリル酸粘着剤とすることができる。さらに特に好ましいのは、ヒドロゲル粘着剤、特には水性アクリル酸エステルをベースとするヒドロゲル粘着剤である。
【００４０】
有利な方法として、この接着剤の面積あたり重量は２０〜１００ｇ／ｍ2、特には３０〜５０ｇ／ｍ2とする。この場合の接着剤は間隔をおいて、しかし好ましくは全面的に塗布することができる。
【００４１】
接着剤を施されたポリマーフィルムの水蒸気透過度は、好ましくは少なくとも１０００ｇ／ｍ2／２４時間、特に好ましくは少なくとも１２００ｇ／ｍ2／２４時間、さらに特に好ましくは少なくとも２０００ｇ／ｍ2／２４時間とする（ＤＩＮ  ＥＮ  １３７２６に従って測定）。
【００４２】
本発明の１つの発展形では、フィルムドレッシング材に対し、ポリマーフィルムにおいて装着システムと反対側にあたる第２の面の全面に、粘着剤をコーティングし、そしてこの粘着剤を被覆フィルムまたは被覆紙で保護してもよい。被覆層としてはこの場合、市販のシリコーン処理された紙またはフィルム、およびフッ素化合物を加えられた紙またはフィルムの、あらゆるものを用いることができる。
【００４３】
安定して装着できるフィルムドレッシング材を得るためには、使用される材料を正確に適合しなければならない。特に、使用される材料の分離特性を適合しなければならない。この分離特性は、追加される材料によって調整可能であって、そしてまた使用される２つの材料間を支配する力に基づく。したがって、たとえば一方の材料に目的に合わせた表面処理をすることによって、その第１の材料と組み合わされる第２の材料に対する付着作用または反発作用を調整することができる。２つの材料間に付着作用を生じる表面処理は、たとえば接着性のコーティングを追加することによって、静電荷によって、あるいは組み合わされる両材料の溶融によって行うことができる。反発作用は、たとえばシリコーン化合物またはフッ素化合物からなる材料の層を追加することによって生じることができる。分離力（引き離し力）とはこの場合、２つの材料をたがいに分離するに必要な力をいう（ＤＩＮ  ５３５３０に従って測定）。
【００４４】
本発明によるフィルムドレッシング材のもう１つの実施形態では、この分離特性を次のように調整する。すなわち、装着されるポリマーフィルムから被覆フィルムまたは被覆紙を分離するに必要な引き離し力が、そのポリマーフィルムから単数または複数の支持フィルムを分離するに必要な引き離し力よりも大きくなるようにする。
【００４５】
２つの支持フィルムを有するフィルムドレッシング材を形成する場合、分離特性を次のように調整する。すなわち装着されるポリマーフィルムから第１の支持フィルムを分離するに必要な引き離し力が、第２の支持フィルムを分離するに必要な引き離し力に等しくなるようにする。
【００４６】
そのほかまた好ましくは、２つの支持フィルムと２つの掴みしろとを有するフィルムドレッシング材の場合、分離特性を次のように調整する。すなわち、第２の掴みしろから第１の掴みしろを、あるいは第１の掴みしろから第２の掴みしろを分離するに必要な引き離し力が、装着されるポリマーフィルムから支持フィルムを分離するに必要な引き離し力より小さくなるようにする。
【００４７】
２つの支持フィルムを有するフィルムドレッシング材のもう１つの実施形態では、分離特性を好ましくは次のように調整する。すなわち、装着されるポリマーフィルムから第１の支持フィルムを分離するに必要な引き離し力が、第２の掴みしろから第１の掴みしろを分離するに必要な引き離し力よりも大きくなるようにする。
【００４８】
ポリマーフィルムに対する支持フィルムの接着強さは、ＤＩＮ  ５３５３０に従って測定して、好ましくは０．０１〜０．５Ｎ／２５ｍｍ、特に好ましくは０．０１〜０．１Ｎ／２５ｍｍとする。このため支持材料を、好ましくはポリマーフィルムを生成するとき直接にこのポリマーフィルムに載せ、あるいはポリマーフィルムを直接に支持材料上に生成する。この場合、フィルム生成のため一般的方法すべて、たとえば、注型、ドクター、押し出し加工、あるいはフィルムまたはフィルムを生成するそのほかの公知の方法を応用することができる。必要であれば、支持材料をコーティング側に形成し、あるいは支持材料にそのほかの接着促進処理を加えることができる。接着を促進するコーティングも有利な場合がある。この場合重要なのは、装着される表面に対するポリマーフィルムの接着強さを、ポリマーフィルムに対する支持フィルムの接着強さよりもはるかに大きくすることである。
【００４９】
本発明の１つの特別な実施形態では、装着システムを有するポリマーフィルムを含むフィルムドレッシング材を１つのパッケージとして配置する。特にこの場合、このパッケージは無菌パッケージとする。フィルムドレッシング材とは別個のものとして、創傷パッドをそのパッケージ内に取り込むものとしてもよい。
【００５０】
下記では図面を引用しながら本発明を説明する。
【発明を実施するための最良の形態】
【００５１】
図１および図２は、本発明によるフィルムドレッシング材の第１の実施形態を示す。各図において点線による記載はすべて、実線で示した部品の下に隠れている部品の境界を示す。フィルムドレッシング材（１０）は全体として円形である。このフィルムドレッシング材は、透明なポリマーフィルム（１）からなっていて、このポリマーフィルムの第１の面は、装着システムによって被覆されている。装着システムと反対側にあたる第２の面には接着剤（２）が塗布され、この接着剤は被覆層（３）によって保護されている。この装着システムは、やはり透明である支持フィルム（１４）を含み、この支持フィルムは、ポリマーフィルム（１）のうち、支持フィルムのない周縁領域（１３）以外の部分をマスキングする。そのほかこの支持フィルム（１４）は掴みしろ（１５）を持ち、この掴みしろは、接着部（１６）によって支持フィルム上に固定されている。この掴みしろは、いかなる点においてもポリマーフィルムと結合されておらず、支持フィルムのない周縁領域（１３）を全面的にマスキングする。把握面（１７）によって、処置者は、掴みしろ（１５）を特に容易に把握することができる。したがってこの装着システムは、全体としてポリマーフィルム（１）と同じ大きさであり、ポリマーフィルムと同一の周囲境界を有する。また支持フィルムは、ポリマーフィルムと反対側の面に接着領域（１８）を持ち、この接着領域は、シリコーン処理紙からなる被覆条片（１９）に被覆されている。使用の際には、処置者はフィルムドレッシング材をつけた後（図８ａ〜８ｃ参照）、シリコーン処理された被覆条片（１９）を除去し、支持フィルムを患者書類に貼付して、フィルムドレッシング材適用を記録する。
【００５２】
図３は支持フィルム（２０）の１つの例を上から見た図である。この図は、フィルムドレッシング材におけるポリマーフィルム側の第１の面を上から見た図を示す。この支持フィルムは、単層で半透明のポリエチレンポリマーフィルム（２４）からなり、このフィルムに、カラー半透明のポリエチレン材料からなる掴みしろ（２５）が、超音波接合（２６）によって取り付けられている。支持フィルムの第１の面には印刷が施されている。この印刷には情報欄（２１）が刷り込まれ、この情報欄に、この製品適用に関するデータを記載することができる。このポリマーフィルムは、フィルム下側の接着領域（２８）を患者書類に貼付することができる。
【００５３】
図４および図５は、本発明の第２の実施形態を示す。このフィルムドレッシング材（３０）は基本形が長方形であるが、第１の実施例と同じく、ポリマーフィルム（１）と、ポリマーフィルムの上に全面的に施された接着剤塗布（２）と、この接着剤を被覆する被覆層（３）とからなる。ポリマーフィルムの第１の面には装着システムが設けられ、この装着システムは、支持フィルム（３４）、接着部（３６）によって支持フィルムに取り付けられた掴みしろ（３５）、および接着領域（３８）を含む。接着領域（３８）は、両面接着条片によって実現され、この条片は、第１の接着部（３１）、担持材料（３２）、それに第２の接着部（３８）からなる。第１の接着部によって、担持材料（４１）は支持フィルムに固定結合される。シリコーン処理し（３９）で被覆された接着部（３８）は、支持フィルム（３４）の接着領域を形成し、この接着領域を用いて支持フィルムを患者書類などに固定することができ、フィルムドレッシング材適用の記録を行うことができる。支持フィルムは全体としてポリマーフィルムよりも小さい。すなわち、支持フィルムの接触面積は、ポリマーフィルムの接触面積の９５％に相当する。支持フィルムがない領域がポリマーフィルムの周縁領域を形成することにより、フィルムドレッシング材を装着するとき、この周縁領域を初回固定に用いることができる。
【００５４】
図６および図７は、もう１つのフィルムドレッシング材（４０）を記載する。このフィルムドレッシング材は、基本形が長方形で、その短辺から長辺と平行に延びる切り欠き（５９）を有する。この切り欠きによって、フィルムドレッシング材は２つのたがいに独立した領域を得る。これらの領域は、第３の領域を介してたがいに結合され、たとえばカニューレを固定する際、それぞれがカニューレの一方の側を１つの表面に固定することができる。このフィルムドレッシング材は、ポリマーフィルム（１）、アクリル酸エステル接着層（２）、およびこの接着層を被覆する被覆層（３）を備える。ポリマーフィルムにおいて接着層と反対側にあたる第１の面には装着システムが設けられている。この装着システムは３つの掴みしろ（４５、５５ａ、５５ｂ）を備え、これらの掴みしろは、３つの接着部（４６、５６ａ、５６ｂ−５６ａは図示しない）によって、３つの支持フィルム（４４ａ、４４ｂ、４４ｃ）に取り付けられている。第１の支持フィルム（４４ｃ）に割り当てられた第１の掴みしろ（４５）は、ポリマーフィルムの支持フィルムによって被覆されていない中央領域（５３）と、第２および第３の掴みしろ（５５ａ、５５ｂ）にかぶさっている。掴みしろ（４５）の把握面の外側部分は、自由な把握面（５７）として、横方向に第２と第３の掴みしろ（５５ａ、５５ｂ）を超えて突出し、その結果、これら掴みしろを除去する順序が指定されることになる。また掴みしろ（４５）には、その面の一部にわたって切り欠き（５９）が切り込まれている。第２および第３の掴みしろ（５５ａ、５５ｂ）も、同様にポリマーフィルム（５３）の中央領域にかぶさっている。この領域は、支持フィルムによっては被覆されていない。第３の支持フィルム（４４ｃ）には両面接着テープが取り付けられ、この接着テープは、第１の接着部（４２）、担持材料（４１）、および第２の接着部（４８）からなる。シリコーン処理紙（４９）で被覆された接着部（４８）は、第３の支持フィルム（４４ｃ）の接着領域を形成し、この領域を用いて支持フィルム（４４ｃ）を患者書類などに固定することができる。こうしてフィルムドレッシング材適用の記録を行うことができる。
【００５５】
支持フィルム（４４ａ、４４ｂ、４４ｃ）は合計して、ポリマーフィルムの面積のうち、ポリマーフィルムの第１の面の面積の９２％に相当する部分をカバーする。なぜならば支持フィルムによっては被覆されない中央領域（５３）だけでなく、周縁領域（４３）にも支持フィルムが配置されないからである。この周縁領域は、被覆層を除去した後、初回固定のために用いることができる。そのほか両者掴みしろの間に作動手段を設けることもできる。この作動手段は両面接着テープであって、第２の掴みしろ（５５ａ、５５ｂ）に対するよりも第１の掴みしろ（４５）に対する方の接着強さが大きい。したがって、第１の掴みしろ（４５）を用いて支持フィルム（４４ｃ）を除去する際、その下に位置する第２および第３の掴みしろ（５５ａ、５５ｂ）が立ち上げられる。すると第２および第３の掴みしろ（５５ａ、５５ｂ）と、作動手段との間の接着力が解消される。したがって第２および第３の掴みしろ（５５ａ、５５ｂ）は、次のステップで容易に把握することができ、第２および第３の支持フィルム（４４ａ、４４ｂ）が除去される。
【００５６】
本発明によるフィルムドレッシング材（１０、３０、４０、５０）を装着する際には、まず被覆層（３）を接着剤層（２）から除去する。図８ａ〜８ｃに示すように、支持フィルムのない領域を２つ有するフィルムドレッシング材の場合、フィルムドレッシング材（４０、６０）を装着するために、支持フィルムのない第１の領域として周縁領域（４３、４６）を固定することができる。支持フィルムのない領域ではポリマーフィルムの柔軟性が高く、非常に良好に固定することが可能である。処置者は次のステップで、掴みしろ（４５、５５、６５、７５）の指定された配置、すなわち接着剤（４６、５６、６６、７６）を用いてそれぞれの支持フィルムに掴みしろを固定するという配置によって、装着されるポリマーフィルム（１）を正しい目標に位置決めすることができる。支持フィルムのない第２の領域（５３、７３）によって、フィルムドレッシング材は一種のヒンジを備えることになり、これによりしわを生じることなく装着することが可能となる。ポリマーフィルムを装着する間、あるいは装着した後、支持フィルム（４４ａ、４４ｂ、４４ｃ、６４ａ、６４ｂ）を順次除去することができる。その際は第１の掴みしろ（４５，６５）の自由な把握面（５７、６７）を把握し、そうすると最初に第１の支持フィルム（４４ａ、６４ａ）を剥がすことができる。
【００５７】
［実施例］
このフィルムドレッシング材は基本形が長方形で、辺の長さは１０５×８５ｍｍである（接触面積８９．２５ｃｍ2）。このフィルムドレッシング材は透明なポリウレタンフィルムを含み、使用中に人体の側となる面は、感圧性アクリル酸エステル接着剤でコーティングされている。この接着剤は、全面的に塗布した状態で約２５ｇ／ｍ2の量を、厚さ２５μｍのポリマーフィルムに塗布されている（テスト圧０．５ｋＰａで測定）。このポリマーフィルムは接着剤と組み合わせた状態で、水蒸気透過度が約１２００ｇ／ｍ2／２４時間である（ＤＩＮ  ＥＮ  １３７２６に従って測定）。このようなポリマーフィルムは、Ｉｎｓｐｉｒｅ  １３０５という商品名で、イギリスにあるＩｎｔｅｌｉＣｏａｔ  Ｔｅｃｈｎｏｌｏｇｉｅｓ社，  Ｗｒｅｘｈａｍ  Ｉｎｄｕｓｔｒｉａｌ  Ｅｓｔａｔｅ，  Ｗｒｅｘｈａｍ  ＬＬ１３９ＵＦから市販されている。このポリマーフィルムの接着面は、シリコーン処理紙で被覆されており、このシリコーン処理紙は、Ｓｅｐａｒａｃｏｎ  ９８０−６０という商品名で、Ｍａｒｉａ  Ｓｏｅｌｌ  ＧｍｂＨ  ＆  Ｃｏ．ＫＧ社，  Ｆｒａｎｋｅｎｓｔｒａｓｓｅ  ４５，  Ｄ−６３６６７  Ｎｉｄｄａ−Ｅｉｃｈｅｌｓｄｏｒｆから市販されている。このフィルムドレッシング材は、カニューレ絆創膏またはカテーテル絆創膏として作られていて、図６および７にその原理を記載したドレッシング材を有する。ポリマーフィルムの他方の側、つまり使用中は人体と反対側になる面には、装着システムが設けられている。この装着システムは、ポリエチレンテレフタレート（ＰＥＴ）製の３つの支持フィルムを含み、これら支持フィルムにはそれぞれ掴みしろが１つずつ設けられている。このフィルムドレッシング材は、２つのたがいに分離された領域を有するポリマーフィルムを含み、これらの領域は、支持フィルムにも掴みしろにも被覆されていない。これらの領域は、ポリマーフィルムの周縁領域（図６および７の（４３））と、中央領域（図６または７の（５３））である。この周縁領域は、長方形の短辺上に設けられ、均一な幅６ｍｍを有する。スリットで分離された両者の支持フィルムは同じ大きさで、辺の長さが４２×４２ｍｍである（接触面積は２×１７．６ｃｍ2＝３５．３ｃｍ2）。両者のフィルムの間隔は、たがいに平行に位置する等しい長さの辺のいかなる点でも、約１ｍｍとする。この間隔は、図６に記載された空隙（５９）に相当する。第３の支持フィルムは、接触面積８５×５０ｍｍ（接触面積は４２．５ｃｍ2）を持ち、その長辺が中央領域（５３）によって他の両者支持フィルムから１０ｍｍ間隔を取っている。したがって３つの支持フィルム合計として、その接触面積は、ポリマーフィルムの第１の面の面積の約８７％である。これらの支持フィルムは、厚さ３０μｍのＰＥＴフィルムから作られている（テスト圧０．５ｋＰａで測定）。いずれの支持フィルム上にも、アクリル酸エステル接着剤によって、掴みしろが接着されている。これらの掴みしろは、その断面を見ると図７に記載するような配置を有する。この場合、番号（４５）を付して記載した掴みしろは大きさが８５×３０ｍｍであって、その全幅（８５ｍｍ）にわたって、付随する支持フィルムと結合されている。番���（５５ａ）を付して記載した第２の掴みしろと、番号（５５ｂ）を付して記載した第３の掴みしろは、それぞれ大きさが４２×１５ｍｍである。掴みしろすべては、それぞれ４ｍｍ幅の接着性の結合条片を介して、それぞれの支持フィルムと結合され、また厚さ２０μｍの透明なポリエステルフィルムから作られている。したがって第１の掴みしろは、均一な幅２６ｍｍの把握面を有する。第１の掴みしろの把握面の大きさは８５×２６ｍｍ＝２２．１ｃｍ2である。第２および第３の掴みしろの把握面の均一な幅は、それぞれ１１ｍｍである。したがって第２および第３の掴みしろの把握面の大きさは、それぞれ４２×１１ｍｍ＝４．６ｃｍ2である。第１の把握面のうち、第２または第３の掴みしろから突出する部分の均一な幅、すなわち第１の掴みしろの自由な把握面の幅は、１２ｍｍである。自由な把握面（５７）の大きさは、したがって１０．２ｃｍ2である。第１の支持フィルム（図６および７の４４ｃ）の上には、幅５ｍｍ、厚さ０．０８ｍｍの両面接着テープが取り付けられている。この接着テープは透明なポリエステル担持フィルム（４１）からなり、この担持フィルムは、両面にアクリル酸エステル粘着剤を塗布されている。この両面接着テープの第１の面（４２）は、支持フィルムに貼付されている。第２の面（４８）は、支持フィルムの接着領域を形成する。この接着領域は、厚さ０．０７７ｍｍ、面積あたり重量９２ｇ／ｍ2のシリコーン処理紙で被覆されている。このような接着テープは、ＳｗｉｓｓＣｈｅｍ  Ａｇ社、Ｗｉｄｎａｕ−Ｓｃｈｗｅｉｚから市販されている。この支持フィルムの上には、メーカー名、製品名、ならびに空欄として日付、患者名の記載欄が印刷されている。この支持フィルムの接着領域の接着強さは、紙に対して０．１６Ｎ／５ｍｍである（８０ｇ／ｍ2、上質紙、高白色―商品名：３０００  Ｌａｓｅｒ  Ｃｏｐｉｅｒ、Ｎｉｃｅｄａｙ社）。測定はＤＩＮ  ＥＮ  １９３９に従って行ったが、ロールプレス重量を１０６．７ｇとして、ハンドローラーを用いて貼り合わせ、いずれのサンプルも合計４回ロールプレスした点が、同規格とは異なる。シート上の異なる箇所に複数回位置決めした後も、この接着強さは維持される。したがって支持フィルムは、再位置決め可能である。
【００５８】
このカニューレ絆創膏を装着する際、上記のように第１のステップで、シリコーン処理被覆紙を除去して、フィルムドレッシング材の粘着面を露出する。するとフィルムドレッシング材は、図８ａ〜８ｃに示すようにして装着できるようになる。このとき、スリット（５９）の末端を、ほぼカニューレの穿刺箇所の上に位置決めする。支持フィルム（５５ａ、５５ｂ）で被覆されているフィルムドレッシング材の左右フラップを、カニューレと平行に固定することができる。しかしこの領域を用いて、カニューレをもさらに固定することができる。装着の際に除去された支持フィルムを、処置者は、同時に一種のメモ用紙にして、そこにカニューレ絆創膏のそれまでの適用状況を記録することができる。そのためには、被覆条片（４９）を除去して、支持フィルムを記録書類に貼付するだけでよい。
【図面の簡単な説明】
【００５９】
【図１】フィルムドレッシング材の第１の実施形態を上から見た図である。
【図２】フィルムドレッシング材の図１に示した実施形態の断面図である。
【図３】情報記載欄を有する支持フィルムの１つの実施形態を示す。
【図４】フィルムドレッシング材のもう１つの実施形態を上から見た図である。
【図５】フィルムドレッシング材の図４に示した実施形態の断面図である。
【図６】フィルムドレッシング材のもう１つの実施形態を上から見た図である。
【図７】フィルムドレッシング材の図６に示した実施形態の断面図である。
【図８ａ】使用時の実施形態の断面図である。
【図８ｂ】使用時の実施形態の断面図である。
【図８ｃ】使用時の実施形態の断面図である。
【図１】
2009525771.tif 000003
【図２】
2009525771.tif 000004
【図３】
2009525771.tif 000005
【図４】
2009525771.tif 000006
【図５】
2009525771.tif 000007
【図６】
2009525771.tif 000008
【図７】
2009525771.tif 000009
【図８ａ】
2009525771.tif 000010
【図８ｂ】
2009525771.tif 000011
【図８ｃ】
2009525771.tif 000012
【国際調査報告】
2009525771.tif 000013
2009525771.tif 000014
2009525771.tif 000015
2009525771.tif 000016
2009525771.tif 000017
2009525771.tif 000018
2009525771.tif 000019
2009525771.tif 000020